(57)【要約】【課題】  他人の手を借りず、かつ、体を休めリラックスしながら指圧の効果を得ることができる側頭部押圧器具を提供する。【解決手段】  所定の間隔をおいて対向した側板を有す基台と、対向した側板に端部が巻き付け固定されることにより、対向した側板の間に、略円弧状に吊り下げ設置され、頭部載置部を有した第一の帯状体と、側板に巻き付け固定されている第一の帯状体の端部において、第一の帯状体に巻き付け固定された、側頭部を押圧する為の突起部を有した第二の帯状体を具備する。【選択図】  図１
2008043546.tif 000002
【特許請求の範囲】
【請求項１】
所定の間隔をおいて対向した側板を有す基台と、
前記対向した側板に端部が巻き付け固定されることにより、前記対向した側板の間に、略円弧状に吊り下げ設置され、頭部載置部を有した第一の帯状体と、
前記側板に巻き付け固定されている前記第一の帯状体の前記端部において、前記第一の帯状体に巻き付け固定された、側頭部を押圧する為の突起部を有した第二の帯状体を
具備したことを特徴とする側頭部押圧器具。
【請求項２】
対向した側板を有す基台は、右側の側板を有す右側基台と、左側の側板を有す左側基台に分割されており、前記右側基台と前記左側基台の設置位置の調整により、右側の側板と左側の側板の間隔を定める
ことを特徴とする請求項１に記載の側頭部押圧器具。
【請求項３】
側頭部を押圧する為の突起部は弾性部材である
ことを特徴とする請求項１乃至請求項２の何れかに記載の側頭部押圧器具。
【請求項４】
第一の帯状体は、側板に巻き付ける長さを調整することにより、対向した前記側板の間に、略円弧状に吊り下げ設置される際の当該略円弧状の曲率を定める
ことを特徴とする請求項１乃至請求項３の何れかに記載の側頭部押圧器具。
【請求項５】
側板は弾性を有し、第一の帯状体により頭部を保持する際、頭部の自重により、前記側板が撓む
ことを特徴とする請求項１乃至請求項４の何れかに記載の側頭部押圧器具。
【請求項６】
第一の帯状体は、側板に対し弛みを有した状態で巻き付け固定されており、第二の帯状体は、第一の帯状体に対し締め付けた状態で巻き付け固定されている
ことを特徴とする請求項１乃至請求項５の何れかに記載の側頭部押圧器具。
【発明の詳細な説明】
【技術分野】
【０００１】
本発明は、側頭部（こめかみ）を押圧（指圧）する際に使用するものであり、使用者が本発明に係る器具を枕のように使って横になることにより、使用者のこめかみを指圧することができる側頭部押圧器具に関する。
【背景技術】
【０００２】
従来から、例えば、目の疲れや肩こりから生じる頭痛等の対処方法として、こめかみを指圧することが効果的な場合が多いことは、一般に知られているところである。
【０００３】
このようにこめかみを指圧する際、従来は、自ら或いは他人の指で行う他、自ら或いは他人により、指圧棒にて押圧するものであった（例えば、特許文献１参照）。
【０００４】
【特許文献１】特開平０８−３２２９０３号公報
【発明の開示】
【発明が解決しようとする課題】
【０００５】
上述した従来のこめかみの指圧方法では、自らの手で行う際には、指圧による効果（例えば、目の疲れの緩和、肩こりの緩和など）は得られるものの、自らの手で指圧を行う故、体を休めリラックスしながら指圧の効果を得ることは出来ないという課題があった。また、他人の手を借り行う際には、自らは体を休めたリラックス状態の中、指圧の効果を得ることも可能ではあったが、他人の手を借りなければならない故、指圧を望む時に他人の手が借りられない場合もある。また、他人の手を煩わせてしまうという課題があった。
【０００６】
本発明は、上述のような課題を解決する為になされたものであり、他人の手を借りず、かつ、体を休めリラックスしながら指圧の効果を得ることができる側頭部押圧器具を提供するものである。
【課題を解決するための手段】
【０００７】
本発明に係る側頭部押圧器具は、所定の間隔をおいて対向した側板を有す基台と、対向した側板に端部が巻き付け固定されることにより、対向した側板の間に、略円弧状に吊り下げ設置され、頭部載置部を有した第一の帯状体と、側板に巻き付け固定されている第一の帯状体の端部において、第一の帯状体に巻き付け固定された、側頭部を押圧する為の突起部を有した第二の帯状体を具備する。
【発明の効果】
【０００８】
本発明に係る側頭部押圧器具においては、他人の手を借りず、かつ、体を休めリラックスしながら指圧の効果を得ることができる。
【発明を実施するための最良の形態】
【０００９】
実施の形態１．
以下、本実施の形態１における側頭部押圧器具について説明する。
【００１０】
図１は、本発明を実施する為の実施の形態１における側頭部押圧器具の斜視図である。図２は、図１における側頭部押圧器具の縦断面図である。図３は、図１における側頭部押圧器具のＡ方向矢視図であり、使用者の頭部を載置した状態を示す。図４は、図１における側頭部押圧器具のＢ方向矢視図であり、使用者の頭部を載置した状態を示す。
【００１１】
図１〜図４において、１は側頭部押圧器具である。以下、側頭部押圧器具１の構成要素について説明する。
【００１２】
２は基台であり、ベース部２ａに対し垂設してなる側板２ｂを有している。尚、側板２ｂには、穴２ｃが形成されている。本実施の形態１における基台２は板金にて形成されているが、これに限らず、例えば、樹脂成形でも良い。
【００１３】
３は第一の帯状体（以下、吊り下げベルトという）であり、その両端部３ａは、所望の間隔をおいて対向する側板２ｂの上部にて、穴２ｃを通り、所望の余長を有した状態で巻き付けられ、固定部材４により固定されている。
【００１４】
５は、吊り下げベルト３が内部に貫通することにより、側板２ｂの間に略円弧状に吊り下げられた吊り下げベルト３の略センター付近に配置された頭部載置部である。頭部載置部５は、側頭部押圧器具１の使用者が頭部を乗せるための部材であり、よって、使用者の心地良さを確保する為、発泡性のクッションシートで形成されている。尚、これに限らず、例えば、皮素材、ゴム素材などでも良い。
【００１５】
また、本実施の形態１における頭部載置部は２枚のクッションシートを貼り合わせ、その内部に吊り下げベルト３が介在するように構成しているが、これに限らず、１枚のクッションシートでも良い。
【００１６】
但し、本実施の形態１においては、２枚のクッションシートを貼り合わせた構成とすることにより、弾力性を向上させ、使用者の心地良さをより良くするように工夫している。
【００１７】
また、２枚のクッションシートを貼り合わせた構成とし、内部に吊り下げベルト３を介在させることにより、吊り下げベルト３を、その裏／表を気にすることなく、側板２ｂに巻き付けることができる為、利便性が良い。即ち、一枚のクッションシートの場合、使用者の心地良さを確保する為、クッションシートにおいて、その全面に吊り下げベルト３が露出している面が頭部載置面とならないように気にする必要があるが、本実施の形態１では、そのような注意を払わなくて良い。
【００１８】
６は第二の帯状体（以下、突起付きベルトという）であり、吊り下げベルト３における側板２ｂに巻き付けられた部分において、吊り下げベルト３に対し、締め付けた状態で巻き付けて固定されている。本実施の形態１では、突起付きベルト６はマジックテープ（登録商標）であり、当該マジックテープ（登録商標）の機能を利用して、吊り下げベルト３に対し固定されている。尚、突起付きベルト６を吊り下げベルト３に対し、締め付けて固定することにより、吊り下げベルト３に対する突起付きベルト６の位置ずれを抑制できる。
【００１９】
６ａは突起付きベルト６に接着固定された突起部であり、本実施の形態１では、突起部６ａはゴム材等の弾性部材からなる表面を有し、中空に形成された内部に粒体物等を充填させた構成としている。なお、突起部６ａは、このような構成に限らず、ゴム材で一体成形しても良い。突起部６ａは、側頭部押圧器具１の使用者の側頭部（こめかみ）を押圧（指圧）するものであり、従って、使用者の心地良さを得るべく、突起部６ａの表面は適度に軟質な硬度のゴム等の弾性部材を使用することが望ましい。
【００２０】
尚、本実施の形態１においては、突起部６ａは突起付きベルト６に接着固定されているが、これに限らず、例えば、縫いつけ固定、挿入勘合固定等でも良く、その固定方法は何ら限定されるものではない。
【００２１】
以下、本実施の形態１における側頭部押圧器具１の機能（使用方法）について、図１〜図４を用いて説明する。
【００２２】
側頭部押圧器具１は、その使用者が頭部を頭部載置部５に、図３に示す通り、うつぶせ状態で乗せて、寝ころんだ状態で使用するものである。よって、突起部６ａの高さは、使用者がリラックスして寝ころんだ際に使用者の側頭部（こめかみ）付近に位置するように設計されている。
【００２３】
なお、本実施の形態１における側頭部押圧器具１は、使用者がうつ伏せになり、使用することを想定し、設計されたものであるが、これに限らず、仰向けになり、使用することを想定した側頭部押圧器具１も成り立つ。その場合は、突起部６ａの高さは、使用者が頭部載置部５に後頭部を置いた際に使用者の側頭部（こめかみ）付近に位置するように適宜設計すればよい。
【００２４】
まず、使用者は、側頭部押圧器具１を使用するに当たり、側板２ｂに巻き付けられる吊り下げベルト３の長さを調整し、かつ、左右の基台２を、それぞれの側板２ｂの間隔を自分の好みに合わせて調整して、床に設置することにより、頭部載置部５の曲率を自由に設定できる。よって、使用者は自分の頭部の形に合わせた頭部載置部５に、心地よく頭を乗せることができる。
【００２５】
尚、本実施の形態１では、基台２の裏面には滑り止め効果を有する例えばゴムシート（図示せず）が貼り付けられており、使用時に、基台２が位置ずれしてしまうことを抑制している。
【００２６】
使用者が頭部載置部５に頭部を乗せて、寝ころんだ際、頭部による自重により、側板２ｂに余長を有した状態で巻き付けられた吊り下げベルト３はテンションが付与された状態になる。即ち、図３に示すように、吊り下げベルト３にテンションが付与されることにより、突起部６ａは、図１に示す矢印Ｃ方向に移動する。よって、使用者の側頭部（こめかみ）を押圧（指圧）することができる。
【００２７】
尚、本実施の形態１では、吊り下げベルト３にテンションが付与されることにより、突起部６ａを、図１に示す矢印Ｃ方向に移動させるだけでなく、側板２ｂにも弾性を持たせている。従って、使用者が頭部を頭部載置部５に乗せ自重を付与した場合には、吊り下げベルト３を介し、側板２ｂにも力が付与され、図１に示す矢印Ｄ方向に、側板２ｂは撓む（図３参照）。これにより、更に、突起部６ａを、図１に示す矢印Ｃ方向に移動させることができる為、側頭部（こめかみ）の押圧（指圧）効果を高めることができる。
【００２８】
なお、本実施の形態１では、使用者が横になり（寝ころんで）、側頭部押圧器具１を使用する形態として説明したが、これに限られるものではない。例えば、卓上に側頭部押圧器具１を配置しての着座状態での使用が考えられる。
すなわち、今日の高度情報化社会における会社等では、日常業務にパソコンを多用する傾向が顕著で、仕事による眼精疲労が増大し、酷使した眼を癒すため、昼休み等には卓上に腕を枕がわりにして仮眠をとる光景をよく目にする。
しかし、仮眠の時間が経つにつれ頭の重さが腕に加わり、腕、顔が痛くなり、手がしびれて、仮眠が快適でなく充分に睡眠がとりにくかった。
そこで、側頭部押圧器具１を、前記第１の実施形態と同様に卓上にセッティングし、着座して前かがみ状態になり頭を頭部載置部にのせて仮眠をとることで、腕に負担がかかることなく安眠でき、疲労も回復できる。
【図面の簡単な説明】
【００２９】
【図１】本発明を実施する為の実施の形態１における側頭部押圧器具の斜視図である。
【図２】図１における側頭部押圧器具の縦断面図である。
【図３】図１における側頭部押圧器具のＡ方向矢視図である。
【図４】図１における側頭部押圧器具のＢ方向矢視図である。
【符号の説明】
【００３０】
１    側頭部押圧器具
２    基台
２ｂ  側板
３    吊り下げベルト（第一の帯状体）
３ａ  端部
５    頭部載置部
６    突起付きベルト（第二の帯状体）
６ａ  突起部
【図１】
2008043546.tif 000003
【図２】
2008043546.tif 000004
【図３】
2008043546.tif 000005
【図４】
2008043546.tif 000006